(57)【要約】【課題】特別な機構を設けなくともゴミ袋等の開口部を閉鎖した状態を維持することができ、しかも使用時の操作性に優れた開閉装置、袋収納容器を提供する。【解決手段】  ゴミ袋を収容する容器本体の開口部に装着する中蓋５にゴミ投入口７と、摺動自在なスライダ１２を設ける。互いに平行し両端同士が連結された弾性を有する一対の開閉部材２１，２１の両端同士を回動自在に連結し、ゴミ投入口７を縦断するよう一端側の連結部を中蓋５に取り付け、かつ他端側の連結部をスライダ１２に取り付ける。スライダ１２の移動により一対の開閉部材２１，２１の一端側の連結部を、双方が有する弾性反力に抗して他端側の連結部へ向け押圧移動させ、一対の開閉部材２１，２１の延在途中が互いに離間する方向へ湾曲する開状態への操作を可能とする。その後は、一対の開閉部材２１，２１における自らの弾性復元力により双方が平行する閉状態に自動的に復帰させる。【選択図】      図９
2006327703.tif 000002
【特許請求の範囲】
【請求項１】
物品等の開口部を開閉するための開閉装置であって、
相対向して延在するとともに両端同士が連結された弾性を有する一対の開閉部材と、
この一対の開閉部材の延在方向に移動自在に設けられるとともに、外部からの操作力により、前記一対の開閉部材の少なくとも一端側の連結部を一対の開閉部材が有する弾性反力に抗して他端側の連結部へ向け押圧移動し、一対の開閉部材の延在途中を互いに離間する方向へ湾曲させる可動部材と
を備えたことを特徴とする開閉装置。
【請求項２】
前記一対の開閉部材は一対のコイルバネであることを特徴とする請求項１記載の開閉装置。
【請求項３】
前記一対の開閉部材は両端同士を相互に回動自在に連結されたことを特徴とする請求項１又は２記載の開閉装置。
【請求項４】
前記一対の開閉部材の延在途中は非変形状態で互いに密接することを特徴とする請求項１，２又は３記載の開閉装置。
【請求項５】
袋体を収容する容器本体と、この容器本体の開口部に設けられた保持体と、この保持体に取り付けられた開閉装置とを備え、
前記開閉装置は、相対向して延在するとともに両端同士が連結され、前記容器本体に収容された袋体を両側から挾持し袋体の開口部を閉塞する弾性を有する一対の開閉部材と、この一対の開閉部材の延在方向に移動自在に設けられるとともに、外部からの操作力により、前記一対の開閉部材の少なくとも一端側の連結部を一対の開閉部材が有する弾性反力に抗して他端側の連結部へ向け押圧移動し、一対の開閉部材の延在途中を互いに離間する方向へ湾曲させる可動部材とを備えたことを特徴とする袋収納容器。
【請求項６】
前記一対の開閉部材に、適宜変形可能でかつ復元性を有するクッション材が回転自在にそれぞれ外挿されたことを特徴とする請求項５記載の袋収納容器。
【請求項７】
前記保持体は、前記容器本体に着脱自在に設けられたことを特徴とする請求項５又は６記載の袋収納容器。
【請求項８】
前記容器本体の底部側に設けられ、使用者の踏力によって動作するペダルと、
前記容器本体の外周部に設けられ、下端部が前記ペダルの作用点側に連結されるとともに、前記ペダルに入力した使用者の踏力を前記操作力に変換し上端部によって前記可動部材を移動させるリンク部材とを備え、
前記可動部材に、前記リンク部材の上端部を当接させ前記操作力を入力するための入力部が設けられたことを特徴とする請求項５，６又は７記載の袋収納容器。
【請求項９】
前記入力部は下方開口状であって、前記リンク部材の上端部が当接する入力壁と、この入力壁の両側に連続する両側壁とによって形成され、前記両側壁の各々に、前記リンク部材の上端部を前記入力壁に案内するガイド部が相対向して突設されたことを特徴とする請求項８記載の袋収納容器。
【請求項１０】
前記リンク部材は、上端部側が前記可動部材の移動位置に応じて弾性変形することにより前記可動部材を移動させることを特徴とする請求項８又は９記載の袋収納容器。
【発明の詳細な説明】
【技術分野】
【０００１】
本発明は、ゴミ箱等に用いて好適な開閉装置、及び袋収納容器に関するものである。
【背景技術】
【０００２】
従来、例えばゴミ袋を収容する上面開口状の容器本体の上部に、その開口部を開閉する蓋体が設けられたゴミ収納容器が広く使用されている。一方、係るゴミ収納容器を、使用済みのおむ等の臭気を放つゴミの処理に使用する場合、上記蓋体を閉じたとしても外部への臭気の漏れを防止することができない。
【０００３】
これを解決可能とする技術として、例えば下記特許文献１には、容器本体の開口部にパンタグラフのように開閉可能なリンク機構を備えた密閉機構を設ける技術が記載されている。すなわち、容器本体の開口部にゴミ投入口が開口する中蓋を別途設け、その裏面側に各々がくの字型に折り曲げ自在な一対のヒンジ板を配置し、一対のヒンジ板の一方側の端部を容器本体側に軸支する一方、一対のヒンジ板の他方側の端部を前記中蓋の非開口部分に設けたスライダに軸支し、スライダによって一対のヒンジ板の開閉操作を可能とする密閉機構が記載されている。
【０００４】
係る密閉機構を備えたゴミ収納容器では、使用時には、開状態に操作した一対のヒンジ板の内側を通してゴミ袋の開口部を開口させるものとし、ゴミ投入後には、一対のヒンジ板を閉状態に操作してゴミ袋の開口部を閉塞することによってゴミ袋内からの臭気の漏れを防止することが可能となる。
【特許文献１】特開２００１−２２０３号公報
【発明の開示】
【発明が解決しようとする課題】
【０００５】
しかしながら、上述した密閉機構は、使用者がゴミ投入後にスライダを操作することにより一対のヒンジ板を閉状態にする構造であることから、以下のような問題があった。
【０００６】
すなわちゴミ袋内からの臭気の漏れを防止するためには、一対のヒンジ板によってゴミ袋の開口部を閉塞した後には、その状態を維持するための機構が不可欠となっていた。
【０００７】
また、ゴミ投入後には、使用者は一対のヒンジ板が閉状態となるまで位置までスライダを確実に操作する必要があるため、使い勝手が未だ不十分であるという問題もあった。
【０００８】
本発明は、かかる従来の課題に鑑みてなされたものであり、特別な機構を設けなくともゴミ袋等の開口部を閉鎖した状態を維持することができ、しかも使用時の操作性に優れた開閉装置、及びその開閉装置を備えた袋収納容器を提供することを目的とする。
【課題を解決するための手段】
【０００９】
前記課題を解決するため請求項１の発明にあっては、物品等の開口部を開閉するための開閉装置であって、相対向して延在するとともに両端同士が連結された弾性を有する一対の開閉部材と、この一対の開閉部材の延在方向に移動自在に設けられるとともに、外部からの操作力により、前記一対の開閉部材の少なくとも一端側の連結部を一対の開閉部材が有する弾性反力に抗して他端側の連結部へ向け押圧移動し、一対の開閉部材の延在途中を互いに離間する方向へ湾曲させる可動部材とを備えたものとした。
【００１０】
かかる構成においては、一対の開閉部材が、可動部材の移動によって延在途中を互いに離間する方向へ湾曲した開状態となることにより物品等の開口部を開放状態とし、また可動部材に加わる操作力の消失に伴い、自らの弾性復元力により閉状態に戻って自動的に物品等の開口部を閉鎖状態とする。
【００１１】
また、請求項２の発明にあっては、前記一対の開閉部材は一対のコイルバネであるものとした。
【００１２】
また、請求項３の発明にあっては、前記一対の開閉部材は両端同士を相互に回動自在に連結されたものとした。
【００１３】
また、請求項４の発明にあっては、前記一対の開閉部材の延在途中は非変形状態で互いに密接するものとした。
【００１４】
また、請求項５の発明にあっては、袋体を収容する容器本体と、この容器本体の開口部に設けられた保持体と、この保持体に取り付けられた開閉装置とを備え、前記開閉装置は、相対向して延在するとともに両端同士が連結され、前記容器本体に収容された袋体を両側から挾持し袋体の開口部を閉塞する弾性を有する一対の開閉部材と、この一対の開閉部材の延在方向に移動自在に設けられるとともに、外部からの操作力により、前記一対の開閉部材の少なくとも一端側の連結部を一対の開閉部材が有する弾性反力に抗して他端側の連結部へ向け押圧移動し、一対の開閉部材の延在途中を互いに離間する方向へ湾曲させる可動部材とを備えたものとした。
【００１５】
かかる構成において、開閉装置の一対の開閉部材が、可動部材の移動によって延在途中を互いに離間する方向へ湾曲変形されることにより容器本体に収容された袋体の開口部を開放可能な状態とし、また可動部材に加わる操作力の消失に伴い、自らの弾性復元力により閉状態に戻って自動的に袋体の開口部を閉塞した状態とする。
【００１６】
また、請求項６の発明にあっては、前記一対の開閉部材に、適宜変形可能でかつ復元性を有するクッション材が回転自在にそれぞれ外挿されたものとした。
【００１７】
かかる構成においては、一対の開閉部材が袋体を両側から挾持したとき、クッション材が袋体の状態に応じ適宜変形することにより、袋体の状態に関わりなく一対の開閉部材と袋体とを確実に密着させることができる。
【００１８】
また、請求項７の発明にあっては、前記保持体は、前記容器本体に着脱自在に設けられたものとした。
【００１９】
かかる構成においては、容器本体から保持体を取り外すことにより、容器本体への袋体の出し入れが容易となる。
【００２０】
また、請求項８の発明にあっては、前記容器本体の底部側に設けられ、使用者の踏力によって動作するペダルと、前記容器本体の外周部に設けられ、下端部が前記ペダルの作用点側に連結されるとともに、前記ペダルに入力した使用者の踏力を前記操作力に変換し上端部によって前記可動部材を移動させるリンク部材とを備え、前記可動部材に、前記リンク部材の上端部を当接させ前記操作力を入力するための入力部が設けられたものとした。
【００２１】
かかる構成においては、ペダルを踏むことによって、一対の開閉部材の延在途中を互いに離間する方向へ湾曲変形させて、袋体の開口部側が閉塞された状態を解除することができる。
【００２２】
また、請求項９の発明にあっては、前記入力部は下方開口状であって、前記リンク部材の上端部が当接する入力壁と、この入力壁の両側に連続する両側壁とによって形成され、前記両側壁の各々に、前記リンク部材の上端部を前記入力壁に案内するガイド部が相対向して突設されたものとした。
【００２３】
かかる構成においては、可動部材の入力部に対するリンク部材の上端部の位置決め作業が容易となる。
【００２４】
また、請求項１０の発明にあっては、前記リンク部材は、上端部側が前記可動部材の移動位置に応じて弾性変形することにより前記可動部材を移動させるものとした。
【００２５】
かかる構成においては、ペダルに入力した踏力を単純な構造で可動部材の操作力に変換することができる。
【発明の効果】
【００２６】
以上のように本発明の開閉装置においては、一対の開閉部材が、可動部材の移動によって延在途中を互いに離間する方向へ湾曲した開状態となることにより物品等の開口部を開放状態とし、また可動部材に加わる操作力の消失に伴い、自らの弾性復元力により閉状態に戻って自動的に物品等の開口部を閉鎖状態とするようにした。よって、特別な機構を設けなくともゴミ袋等の開口部を閉鎖した状態を維持することができ、しかも優れた操作性を確保することが可能となる。
【００２７】
また、本発明の袋収納容器においては、開閉装置の一対の開閉部材が、可動部材の移動によって延在途中を互いに離間する方向へ湾曲した開状態となることにより容器本体に収容された袋体の開口部を開放可能な状態とし、また可動部材に加わる操作力の消失に伴い、自らの弾性復元力により閉状態に戻って自動的に袋体の開口部を閉塞した状態とするようにした。よって、特別な機構を設けなくとも容器本体に収容された袋体の開口部を閉鎖した状態を維持することができ、しかも優れた操作性を確保することが可能となる。
【００２８】
また、一対の開閉部材が袋体を両側から挾持したとき、クッション材が袋体の状態に応じ適宜変形することにより、袋体の状態に関わりなく一対の開閉部材と袋体とを確実に密着させることができるようにした。よって、袋体の開口部を確実に閉塞することが可能となる。
【００２９】
また、容器本体から保持体を取り外すことにより、容器本体への袋体の出し入れが容易となるようにしたり、ペダルを踏むことによって、一対の開閉部材の延在途中を互いに離間する方向へ湾曲変形させて、袋体の開口部側が閉塞された状態を解除することができるようにした。よって、使用時の利便性を向上させることが可能となる。
【００３０】
また、可動部材の入力部に対するリンク部材の上端部の位置決め作業が容易となるようにした。よって、袋収納容器の組み立て時の作業性を向上させることができる。
【００３１】
また、ペダルに入力した踏力を単純な構造で可動部材の操作力に変換することができるようにした。よって、構造の簡素化を図ることができる。
【発明を実施するための最良の形態】
【００３２】
以下、本発明の一実施の形態を図にしたがって説明する。
【００３３】
図１は本発明に係るゴミ袋収納容器１の正面図、図２は同ゴミ袋収納容器１の右側面を示す一部断面図である。本実施の形態のゴミ袋収納容器１は、例えば使用済みのおむつ等の臭気を放つゴミの処理に使用することを前提としたものであり、以下の構成を備えている。
【００３４】
すなわちゴミ袋収納容器１は、内部にゴミ袋を収容する上面開口状の容器本体２と、容器本体２を開閉する上蓋３と、容器本体２の底部に設けられたペダル４とを備えている。上蓋３は、容器本体２の上部背面側に回動自在に取り付けられており、必要に応じて使用者により回動操作される構成であって、ペダル４は後述する一対の開閉部材２１，２１を開閉操作するために設けられている。ペダル４は、図２に示したように容器本体２の前後方向の略中央を支点Ｏとして回動自在に支持されており、容器本体２の背面側に位置する作用点側の端部４ａにはリンク部材１０の下端部１０ａが回動自在に連結されている。なお、リンク部材１０は、容器本体２の背面に沿って形成されるとともに上方側にて容器本体２の内部に開口する収容空間２ａ内に収容されている。
【００３５】
ここで、上記リンク部材１０について説明する。図８（ａ）はリンク部材１０の背面図、同図（ｂ）は、同図（ａ）のＡ−Ａ断面図である。リンク部材１０は合成樹脂からなる長尺の板状部材であるとともに、同図（ｂ）に示したように下端側の両側縁に補強用のフランジ１０ｂが形成されている。これによりリンク部材１０の上端側の略３分の１には、弾性変形により屈曲可能な弾性領域Ｂが確保されている。また、この弾性領域Ｂは、その上端側において「く」の字型に折れ曲がっており、容器本体２の正面側へ傾いた先端部つまりリンク部材１０の上端部には、幅方向に延在する円柱状の押圧部１０ｃが形成されている。
【００３６】
さらに、「く」の字型に折れ曲がった部分の背面側には、断面半円板状の位置決め突起１０ｄが幅方向に３つ並んで設けられている。なお、位置決め突起１０ｄは、ゴミ袋収納容器１の組立時においてリンク部材１０の上端すなわち前記押圧部１０ｃの位置決めと、使用時における弾性領域Ｂの折れ曲り角度の維持を目的として設けらたものである。そして、図２に示したようにリンク部材１０の弾性領域Ｂは、そのほとんどが容器本体２の前記収容空間２ａの上部から容器本体２の内部に露出している。
【００３７】
一方、図３は、容器本体２から上蓋３を取り外した状態を示すゴミ袋収納容器１の平面図である。図示したように容器本体２の開口部には、本発明の保持体である中蓋５が着脱自在に内嵌されている。
【００３８】
容器本体２の背面側に位置する中蓋５の外周部分には別部材からなる一対の係止突起６，６が設けられており、一対の係止突起６，６は、前記上蓋３が回動自在に支持されている容器本体２のヒンジ部２ｂの両側において容器本体２の内側から外部へ挿通されている。これにより中蓋５は、容器本体２の背面側における上方向への移動を規制されるとともに、容器本体２の正面側の端部を持ち上げ正面側へ僅かに移動させるだけで、容器本体２から容易に取り外すことができるようになっている。
【００３９】
中蓋５には、容器本体２の正面側に位置して楕円形状のゴミ投入口７が開口しており、ゴミ投入口７の開口縁には環状の突条部５ａ（図５参照）が形成されている。そして、突条部５ａの外周には、その上端縁を覆うフランジが形成された楕円型のリング体である袋固定部材８が上方側から嵌め込まれている。この袋固定部材８は、ゴミ袋収納容器１の使用に際して、容器本体２に収容されたゴミ袋の開口部分を突条部５ａとの間に挟み込んだ状態で固定するための部材である。
【００４０】
また、中蓋５の表面には、容器本体２の背面側の非開口領域にメッシュ蓋９が着脱自在に装着されている。メッシュ蓋９は、中蓋５の表面側に脱臭剤の収納空間を形成する下方開口状の部材であり、その上面及び周面には多数の通気孔９ａが並んで設けられている。また、図示しないがメッシュ蓋９には、中蓋５に設けられた係合穴５ｂ，５ｂ（図４、図５参照）に挿通された係止用の爪が設けられている。
【００４１】
一方、図４は中蓋５を裏面側から見たときの状態を示す図、図５は、前述した上蓋３、及び袋固定部材８、メッシュ蓋９を取り外した状態におけるゴミ袋収納容器１の上部構造を示す断面図である。なお、図４には前述したリンク部材１０の上端部を便宜上示してある。
【００４２】
図４に示したように、中蓋５の裏面には、前述した係合穴５ｂ，５ｂの間に位置して一対のガイド突起１１，１１が設けられている。一対のガイド突起１１，１１は互いに平行して前記ゴミ投入口７の近傍まで達しており、その下縁全域には他方のガイド突起１１に向かって突出するフランジ部１１ａが形成されている。そして、中蓋５の裏面側には、本発明の可動部材であるスライダ１２が、その左右の両側部をフランジ部１１ａ，１１ａに下方から支持された状態で一対のガイド突起１１，１１によって前後方向に摺動自在に保持されている。
【００４３】
図６はスライダ１２の詳細を示した図であって、同図（ａ）はスライダ１２の底面図、同図（ｂ）は、同図（ａ）のＡ−Ａ断面図、同図（ｃ）は、同図（ａ）のＢ−Ｂ断面図である。
【００４４】
図６（ａ）に示したように、前記スライダ１２の底面には、前述したリンク部材１０を介して前記ペダル４の操作力を入力するための入力部１３が、容器本体２の背面側に位置する側に設けられている。入力部１３は下方開口状であって、スライダ１２の底面に突設された、容器本体２の背面と逆側（ゴミ投入口７側）に位置する入力壁１２ａと、この入力壁１２ａの両側に連続して入力壁１２ａと共にコ字状をなす両側壁１２ｂ，１２ｂとによって形成されている。また、両側壁１２ｂ，１２ｂの双方の内側には、入力壁１２ａの基端部側に向かって傾斜したガイド面ｇを形成するガイド部１２ｃが相対向して突設されている。そして、入力部１３の内部には、図４及び図５に示したように、前述したリンク部材１０の押圧部１０ｃが入力壁１２ａと当接するよう収容されている。
【００４５】
さらに、中蓋５の裏面側には、上記スライダ１２と共に本発明の開閉装置を構成する一対の開閉部材２１，２１が前記ゴミ投入口７を縦断して装着されている。すなわち一対の開閉部材２１，２１は平行して延在するとともに両端同士を回動自在に連結されており、図５に示したように、その一端側の連結部がスライダ１２の下面に突出する取付凸部１２ｄにビス止めされ、かつ他端側の連結部が中蓋５の裏面に突設された取付凸部５ｃにビス止めされることにより中蓋５に支持されている。
【００４６】
図７は、一対の開閉部材２１，２１の詳細構造を示す図である。各々の開閉部材２１は、隣り合うコイルが密着したバネ鋼からなる円筒型のコイルバネ２２と、コイルバネ２２に回転自在に外挿されたクッション材２３とによって構成されている。クッション材２３は、ポリエチレン発泡材により円筒状に形成されるとともに表面に皮付け加工が施されたものであり、適宜変形可能でかつ復元性を有している。また、一対の開閉部材２１，２１の両端には、前記コイルバネ２２の端部に、回動可能な継ぎ手を構成する合成樹脂製の１組の連結アーム２４，２４が圧入されている。そして、係る１組の連結アーム２４，２４の回動中心Ｐが前述したように中蓋５またはスライダ１２にそれぞれ回動自在な状態でビス止めされることによって、１組の連結アーム２４，２４を介して一対の開閉部材２１，２１の両端同士が回動自在に連結されている。
【００４７】
また、前記クッション材２３の厚みは、互いに平行する前記コイルバネ２２，２２の離間寸法の半分よりもやや大きく設定されており、一対の開閉部材２１，２１が図４及び図５に示した閉状態にあるときには、互いに接する周面領域において変形し密着している。さらに、図４に示したように、中蓋５側にビス止めされている１組の連結アーム２４，２４には、一対の開閉部材２１，２１が閉状態となる回動位置にそれらを付勢するリングスプリング２５が取り付けられている。
【００４８】
以上の構成からなるゴミ袋収納容器１においては、使用者が前記ペダル４を踏むと、前記リンク部材１０が上方へ移動し、それに伴い上端側の弾性領域Ｂが適宜屈曲することによりペダル４に入力した使用者の踏力が水平方向の操作力に変換される。そして、変換された操作力が上端部の押圧部１０ｃから前記スライダ１２（入力壁１２ａ）に入力することにより、スライダ１２がゴミ投入口７側に向かい移動する（図５で矢示イ）。それに伴い閉状態にある一対の開閉部材２１，２１の一端側の連結部が、各々の開閉部材２１，２１が有する弾性反力に抗して他端側へ向け押圧移動される。その結果、一対の開閉部材２１，２１が、各々の延在途中が互いに離間する方向へ湾曲した開状態に変形される。図９は、一対の開閉部材２１，２１の開状態を示す図４に対応した図であり、図１０は、その状態における図５に対応する図である。そして、一対の開閉部材２１，２１が開状態にあるとき、使用者がペダル４から足を離すと、今度は一対の開閉部材２１，２１が、双方におけるコイルバネ２２のバネ力（弾性復元力）によってスライダ１２を容器本体２の背面側へ向けて（図１０で矢示ロ）元の位置まで押し戻すことにより、自動的に図４に示した閉状態に復帰する。
【００４９】
したがって、前記ゴミ袋収納容器１の使用に際しては、前記中蓋５を取り外して容器本体２にゴミ袋１００（図５及び図１０参照）を収容し、その開口部を、例えば一対の開閉部材２１，２１を開状態にしてその間から引き出した後、袋固定部材８によってゴミ投入口７の開口縁（突条部５ａ）に固定しておけば、一対の開閉部材２１，２１を開操作することにより、ゴミ袋１００内にゴミを投入することができる。また、投入後は、自動的に閉状態に復帰する一対の開閉部材２１，２１にゴミ袋１００の開口部を両側から挾持させて開口部を閉塞させることにより、ゴミ袋１００内からの臭気の漏れを防止することができる。
【００５０】
ここで、前記ゴミ袋収納容器１においては、先に「背景技術」として既説したゴミ収納容器と異なり、前述したように一対の開閉部材２１，２１が、自らの弾性復元力により閉状態に戻って自動的にゴミ袋１００の開口部を閉鎖状態とすることから、特別な機構を設けなくとも容器本体２に収容されたゴミ袋１００の開口部を閉鎖した状態を強固に維持することができる。その結果、簡単な構造であっても確実にゴミ袋１００の開口部を閉鎖することができ、同様の機能を備えたゴミ袋収納容器をより低コストで提供することができる。しかも、開状態とした一対の開閉部材２１，２１を積極的に閉状態とする操作が不要であることから、優れた操作性を確保することができる。
【００５１】
なお、本実施の形態では、中蓋５側にビス止めされている１組の連結アーム２４，２４に、一対の開閉部材２１，２１が閉状態となる回動位置にそれらを付勢するリングスプリング２５が補助的に取り付けられているものを示したが、リングスプリング２５は無くともよく、その場合あっても一対の開閉部材２１，２１の弾性復元力によってゴミ袋１００の開口部を閉鎖した状態を強固に維持させることができる。
【００５２】
また、一対の開閉部材２１，２１に円筒型のコイルバネ２２を使用するものを示したが、前出したように自らの弾性復元力により開状態から閉状態に復帰させることができれば、一対の開閉部材２１，２１をコイルバネ２２以外の弾性部材によって構成するようにしても構わない。
【００５３】
また、一対の開閉部材２１，２１がゴミ袋１００を両側から挾持したときには、前記クッション材２３，２３がゴミ袋１００の状態、その状態に応じ適宜変形することにより、ゴミ袋１００の状態に関わりなく一対の開閉部材２１，２１とゴミ袋１００とを確実に密着させることができる。すなわち一対の開閉部材２１，２１の間においてはゴミ袋１００の開口部が折り重なることとなるが、仮にその重なり具合に著しい偏りが生じている場合であっても、一対の開閉部材２１，２１をゴミ袋１００とを確実に密着させることができる。よって、ゴミ袋１００の開口部を確実に閉塞することができる。なお、クッション材２３，２３の材質については、適宜変形可能でかつ復元性を有するものであれば本実施の形態で示したものに限らず、他の材質のものを使用することができる。
【００５４】
また、中蓋５を容器本体２から取り外すことができるため、容器本体２へのゴミ袋１００の出し入れを容易に行うことができる。しかも、その際には、前記クッション材２３，２３が回転自在であるため、例えばペダル４を踏んで一対の開閉部材２１，２１を開状態としなくとも、一対の開閉部材２１，２１間から外側や内側にゴミ袋１００を引き出すことができ、容器本体２へのゴミ袋１００の出し入れ作業を極めて容易に行うことができる。
【００５５】
また、ペダル４を踏むだけで一対の開閉部材２１，２１を開状態としてゴミ袋１００の開口部側が閉塞された状態を解除することができるようにした。よって、使用時における良好な使い勝手を確保することができる。
【００５６】
また、リンク部材１０の上端側に弾性領域Ｂを設け、上端側がスライダ１２の移動位置に応じて弾性変形することによりスライダ１２を移動させる構造としたことから、本実施の形態のようにペダル４によって一対の開閉部材２１，２１を開状態とするものであっても、ペダル４に入力した踏力を単純な構造でスライダ１２の操作力に変換することができる。よって、構造の簡素化を図ることができる。
【００５７】
また、前述したようにスライダ１２における入力部１３が下方開口状であって、入力壁１２ａと、この入力壁１２ａの両側に連続して入力壁１２ａと共にコ字状をなす両側壁１２ｂ，１２ｂとによって形成され、かつ両側壁１２ｂ，１２ｂの双方の内側には、入力壁１２ａの基端部側に向かって傾斜したガイド面ｇを形成するガイド部１２ｃが相対向して突設されている。そのため、中蓋５を容器本体２に取り付ける際には、図５に示したように位置決め突起１０ｄが容器本体２の内周面と当接して前後方向に位置決めされた状態にあるリンク部材１０の押圧部１０ｃが下方側から入力部１３に収容されるが、そのとき、押圧部１０ｃが前記ガイド面ｇに沿って入力壁１２ａに当接する位置まで案内されることとなる。したがって、中蓋５の取付時には、スライダ１２の入力部１３に対するリンク部材１０の押圧部１０ｃの位置決め作業を容易に行うことができる。
【００５８】
なお、本実施の形態においては、ペダル４によって一対の開閉部材２１，２１を開状態とするものを示したが、これに限らず、例えば前述したスライダ１２を手動によって操作可能な構成としても構わない。その場合であっても、一対の開閉部材２１，２１が、自らの弾性復元力により閉状態に戻って自動的にゴミ袋１００の開口部を閉鎖状態とすることから、特別な機構を設けなくとも容器本体２に収容されたゴミ袋１００の開口部を閉鎖した状態を強固に維持することができるとともに、開状態とした一対の開閉部材２１，２１を積極的に閉状態とする操作が不要であることから、優れた操作性を確保することができる。
【００５９】
ここで、本実施の形態においては、ゴミ袋収納容器１が、例えば使用済みのおむつ等の臭気を放つゴミの処理に使用することを前提としたものとしたが、ゴミ袋収納容器１の用途はこれ限らず、必要に応じてゴミ袋以外の他の袋体を収容する容器として使用することもできる。
【００６０】
さらに、本実施の形態においては、本発明の開閉装置をゴミ袋等の袋体を両側から挾持して、その開口部側を閉塞するゴミ袋収納容器１に採用した場合について説明したが、これにとどまらず本発明の開閉装置は、他の物品の開口部、例えば介護用品として室内で使用されている簡易式トイレ等の開口部を開閉するための装置としても用いることができる。その場合においても、特別な機構を設けなくともそれらの物品の開口部を一対の開閉部材（２１，２１）により閉鎖した状態を強固に維持することができるとともに、開状態とした一対の開閉部材（２１，２１）を積極的に閉状態とする操作が不要であることから、優れた操作性を確保することができる。
【図面の簡単な説明】
【００６１】
【図１】本発明に係るゴミ袋収納容器の正面図である。
【図２】ゴミ袋収納容器の右側面を示す一部断面図である。
【図３】容器本体から上蓋を取り外した状態を示す平面図である。
【図４】中蓋を裏面側から見たときの状態を示す図である。
【図５】ゴミ袋収納容器の上部構造を示す断面図である。
【図６】（ａ）はスライダの底面図、（ｂ）は、（ａ）のＡ−Ａ断面図、（ｃ）は、（ａ）のＢ−Ｂ断面図である。
【図７】一対の開閉部材の詳細構造を示す図である。
【図８】（ａ）はリンク部材の背面図、（ｂ）は、（ａ）のＡ−Ａ断面図である。
【図９】図４に対応した、一対の開閉部材の開状態を示す図である。
【図１０】図５に対応した、一対の開閉部材の開状態を示す断面図である。
【符号の説明】
【００６２】
１    ゴミ袋収納容器
２    容器本体
３    上蓋
４    ペダル
４ａ  （作用点側の）端部
５    中蓋
７    ゴミ投入口
８    袋固定部材
１０    リンク部材
１０ａ    下端部
１０ｂ    フランジ
１０ｃ    押圧部
１０ｄ    突起
１１    ガイド突起
１１ａ    フランジ部
１２    スライダ
１２ａ    入力壁
１２ｂ    両側壁
１２ｃ    ガイド部
１２ｄ    取付凸部
１３    入力部
２１    開閉部材
２２    コイルバネ
２３    クッション材
２４    連結アーム
１００    ゴミ袋
Ｂ    弾性領域
Ｏ    支点
Ｐ    回動中心
ｇ    （スライダの）ガイド面
【図１】
2006327703.tif 000003
【図２】
2006327703.tif 000004
【図３】
2006327703.tif 000005
【図４】
2006327703.tif 000006
【図５】
2006327703.tif 000007
【図６】
2006327703.tif 000008
【図７】
2006327703.tif 000009
【図８】
2006327703.tif 000010
【図９】
2006327703.tif 000011
【図１０】
2006327703.tif 000012